(57)【要約】      （修正有）【課題】検査の実施結果に基づく病状の患者への説明精度の向上を図る患者管理装置、患者管理方法、プログラムを提供する。【解決手段】患者管理システムにおいて、患者管理装置、検査管理装置、第一端末及び第二端末がネットワークを介して接続されている患者管理装置は、患者の検査に関する実施要求の実施結果を取得して、患者番号と実施結果を確認したか否かを示す確認フラグと、実施結果を説明したか否かを示す説明フラグとに紐づけて実施結果を記録し、患者番号毎の診察スケジュールに基づいて今日の診察スケジュールにおいて診察する患者を特定し、今日の診察スケジュールにおいて診察する患者の患者識別情報に紐づく実施結果と確認フラグと説明フラグとの閲覧要求一覧を出力する。【選択図】図５
2020123147.tif 000002
【特許請求の範囲】
【請求項１】
患者の検査に関する実施要求の実施結果を取得して、患者識別情報と、前記実施結果を確認したか否かを示す確認フラグと、前記実施結果を説明したか否かを示す説明フラグとに紐づけて前記実施結果を記録し、
前記患者識別情報に基づく前記患者それぞれの診察スケジュールに基づいて今日の診察スケジュールにおいて診察する患者を特定し、
前記今日の診察スケジュールにおいて診察する患者の前記患者識別情報に紐づく前記実施結果と前記確認フラグと前記説明フラグとの閲覧要求一覧を出力する
患者管理装置。
【請求項２】
前記実施結果が前記検査に関する評価レポートであり、
前記検査に関する情報を処理する検査管理装置から前記評価レポートを取得した際には前記評価レポートを確認していないことを示す前記確認フラグと、前記評価レポートに基づく前記患者に対する説明をおこなっていないことを示す前記説明フラグとに紐づけて前記評価レポートを記録し、
前記評価レポートを確認したユーザの操作に基づいて、前記評価レポートを確認していないことを示す前記確認フラグを、前記評価レポートを確認したことを示す前記確認フラグに更新し、
前記ユーザの操作に基づいて、前記評価レポートに基づく前記患者に対する説明をおこなっていないことを示す前記説明フラグを、前記評価レポートに基づく前記患者に対する説明を行ったことを示す前記説明フラグに更新する
請求項１に記載の患者管理装置。
【請求項３】
前記ユーザの操作開始に基づいて前記実施結果の前記閲覧要求一覧を自動的に生成する
請求項２に記載の患者管理装置。
【請求項４】
前記評価レポートの更新版の情報を取得後に、更新前の前記評価レポートに紐づいて記録される前記確認フラグが確認したことを示す場合、前記評価レポートを確認していないことを示す値に当該確認フラグを更新する
請求項２または請求項３に記載の患者管理装置。
【請求項５】
前記評価レポートの更新版の情報を取得後に、更新前の前記評価レポートに紐づいて記録される前記説明フラグが説明したことを示す場合、前記評価レポートに基づく前記患者に対する説明を行っていないことを示す値に当該説明フラグを更新する
請求項２から請求項４の何れか一項に記載の患者管理装置。
【請求項６】
前記ユーザの操作に基づいて前記閲覧要求一覧における何れかの前記実施結果についての重要フラグを付与する
請求項２から請求項５の何れか一項に記載の患者管理装置。
【請求項７】
患者の検査に関する実施要求の実施結果を取得して、患者識別情報と前記実施結果を確認したか否かを示す確認フラグと、前記実施結果を説明したか否かを示す説明フラグとに紐づけて前記実施結果を記録し、
前記患者識別情報に基づく前記患者それぞれの診察スケジュールに基づいて今日の診察スケジュールにおいて診察する患者を特定し、
前記今日の診察スケジュールにおいて診察する患者の前記患者識別情報に紐づく前記実施結果と前記確認フラグと前記説明フラグとの閲覧要求一覧を出力する
患者管理方法。
【請求項８】
患者管理装置のコンピュータを、
患者の検査に関する実施要求の実施結果を取得して、患者識別情報と前記実施結果を確認したか否かを示す確認フラグと、前記実施結果を説明したか否かを示す説明フラグとに紐づけて前記実施結果を記録する手段、
前記患者識別情報に基づく前記患者それぞれの診察スケジュールに基づいて今日の診察スケジュールにおいて診察する患者を特定する手段、
前記今日の診察スケジュールにおいて診察する患者の前記患者識別情報に紐づく前記実施結果と前記確認フラグと前記説明フラグとの閲覧要求一覧を出力する手段、
として機能させるプログラム。
【発明の詳細な説明】
【技術分野】
【０００１】
本発明は、患者管理装置、患者管理方法、プログラムに関する。
【背景技術】
【０００２】
医師は患者の検査の実施結果を1日に多数確認することがある。患者の検査とは、例えば、放射線撮影、内視鏡検査、病理検査、検体検査、細菌検査などである。これらの患者の検査を行った医師は患者に対して検査の実施結果の確認に基づく病状の説明等を行う。過去の診療段階において行われた説明を踏まえて新たな説明を行うことを支援する技術が特許文献１に開示されている。
【先行技術文献】
【特許文献】
【０００３】
【特許文献１】特開２００９−２１１２８９号公報
【発明の概要】
【発明が解決しようとする課題】
【０００４】
病状の患者への説明は、検査の実施結果の見落としなく行うことが求められる。そして検査の実施結果に基づく病状の患者への説明精度の向上が求められる。
【０００５】
そこでこの発明は、上述の課題を解決する患者管理装置、患者管理方法、プログラムを提供することを目的としている。
【課題を解決するための手段】
【０００６】
本発明の第１の態様によれば、患者管理装置は、患者の検査に関する実施要求の実施結果を取得して、患者識別情報と前記実施結果を確認したか否かを示す確認フラグと、前記実施結果を説明したか否かを示す説明フラグとに紐づけて前記実施結果を記録し、前記患者識別情報に基づく前記患者それぞれの診察スケジュールに基づいて今日の診察スケジュールにおいて診察する患者を特定し、前記今日の診察スケジュールにおいて診察する患者のうち、前記確認フラグが確認したことを示し、かつ前記説明フラグが説明したことを示す患者以外の患者の前記患者識別情報に紐づく前記実施結果の閲覧要求一覧を出力することを特徴とする。
【０００７】
本発明の第２の態様によれば、患者管理方法は、患者の検査に関する実施要求の実施結果を取得して、患者識別情報と前記実施結果を確認したか否かを示す確認フラグと、前記実施結果を説明したか否かを示す説明フラグとに紐づけて前記実施結果を記録し、前記患者識別情報に基づく前記患者それぞれの診察スケジュールに基づいて今日の診察スケジュールにおいて診察する患者を特定し、前記今日の診察スケジュールにおいて診察する患者のうち、前記確認フラグが確認したことを示し、かつ前記説明フラグが説明したことを示す患者以外の患者の前記患者識別情報に紐づく前記実施結果の閲覧要求一覧を出力することを特徴とする。
【０００８】
本発明の第３の態様によれば、プログラムは、患者管理装置のコンピュータを、患者の検査に関する実施要求の実施結果を取得して、患者識別情報と前記実施結果を確認したか否かを示す確認フラグと、前記実施結果を説明したか否かを示す説明フラグとに紐づけて前記実施結果を記録する手段、前記患者識別情報に基づく前記患者それぞれの診察スケジュールに基づいて今日の診察スケジュールにおいて診察する患者を特定する手段、前記今日の診察スケジュールにおいて診察する患者のうち、前記確認フラグが確認したことを示し、かつ前記説明フラグが説明したことを示す患者以外の患者の前記患者識別情報に紐づく前記実施結果の閲覧要求一覧を出力する手段、として機能させることを特徴とする。
【発明の効果】
【０００９】
本発明によれば、検査の実施結果に基づく病状の患者への説明精度の向上と、検査の実施結果に基づく患者への説明が完了したか否かの状況の管理とを行うことができる。
【図面の簡単な説明】
【００１０】
【図１】本発明の一実施形態による患者管理システムの構成を示す図である。
【図２】本発明の一実施形態による患者管理システムを構成する各装置のハードウェア構成図である。
【図３】本発明の一実施形態による患者管理装置の機能ブロック図である。
【図４】本発明の一実施形態によるレポート管理テーブルの例を示す。
【図５】本発明の一実施形態による患者管理装置の処理フローを示す図である。
【図６】本発明の一実施形態によるレポート管理ページの第一の例を図である。
【図７】本発明の一実施形態によるレポート管理ページの第二の例を示す図である。
【図８】本発明の一実施形態によるレポート管理ページの第三の例を示す図である。
【図９】本発明の一実施形態によるレポート管理ページの第四の例を示す図である。
【図１０】本発明の一実施形態によるレポート管理ページの第五の例を示す図である。
【図１１】本発明の一実施形態によるレポート管理ページの第六の例を示す図である。
【図１２】本発明の一実施形態によるレポート管理ページの第七の例を示す図である。
【図１３】本発明の一実施形態によるレポート管理ページの第八の例を示す図である。
【図１４】本発明の一実施形態による検査要求登録ページの例を示す図である。
【図１５】本発明の一実施形態によるレポート管理ページの第九の例を示す図である。
【図１６】本発明の一実施形態によるレポート管理ページの第十の例を示す図である。
【図１７】本発明の一実施形態による患者管理装置の最小構成を示す図である。
【発明を実施するための形態】
【００１１】
以下、本発明の一実施形態による患者管理装置を図面を参照して説明する。
図１は同実施形態による患者管理装置を含む患者管理システムの構成を示す図である。
この図で示すように患者管理システム１００は、患者管理装置１、検査管理装置２、第一端末３、第二端末４が通信ネットワークを介して接続される。患者管理システム１００は例えば数百床程度の規模の病院に設けられている。患者管理システム１００には図示する以外の装置が通信接続して含まれてよい。
【００１２】
患者管理装置１は、患者の検査の実施結果の医師による確認、当該実施結果に基づく患者への説明、それら確認や説明についての記録や、患者に関する各種コメントを記録するための装置である。
検査管理装置２は、患者の検査の実施結果を管理する装置である。検査管理装置２は検査装置に直接、通信接続して、検査装置により生成されたデータを取得する装置であってよい。検査装置は、放射線治療装置や、磁気共鳴画像生成装置、レントゲン撮影装置などであってよい。
第一端末３は患者管理装置１と通信接続し、患者管理装置１の送信する情報をモニタ等に出力する。
第二端末４は検査管理装置２と通信接続し、検査管理装置２の送信する情報をモニタ等に出力する。
なお第一端末３と第二端末４とは共通の端末であってもよい。
【００１３】
本実施形態において検査装置は放射線治療装置であるとする。また本実施形態において検査管理装置２は、放射線治療装置から受信した放射線画像を表示して、読影医や検査技師等が登録した情報を管理する装置であるとする。
【００１４】
図２は患者管理装置、検査管理装置、第一端末、第二端末のハードウェア構成図である。
患者管理装置１、検査管理装置２、第一端末３、第二端末４は、それぞれ、ＣＰＵ（Central Processing Unit）１０１、ＲＯＭ（Read Only Memory）１０２、ＲＡＭ（Random Access Memory）１０３、データベース１０４、通信モジュール１０５等の各ハードウェアを備えたコンピュータである。
【００１５】
図３は患者管理装置の機能ブロック図である。
患者管理装置１はＣＰＵ１０１によりデータベース１０４等に記録される患者管理アプリケーションのプログラムを実行する。これにより患者管理装置１は制御部１１、電子カルテ部１２、レポート管理部１３の各機能を発揮する。
【００１６】
制御部１１は他の機能部を制御する。
電子カルテ部１２は、患者のカルテの情報を電子的に記録、出力する処理を行う。カルテの情報には、患者の氏名、患者番号、入院病棟、部屋番号、患者の診察結果等の記録情報が含まれる。記録情報は、ＳＯＡＰ種別と記録内容とが含まれる。ＳＯＡＰとは、Ｓｕｂｊｅｃｔｉｖｅ（主観的情報）、Ｏｂｊｅｃｔｉｖｅ（客観的情報）、Ａｓｓｅｓｓｍｅｎｔ（評価情報）、Ｐｌａｎ（計画、治療情報）の頭文字を取ったものであり、これらの情報の種別を示す。Ｓｕｂｊｅｃｔｉｖｅの種別をＳ、Ｏｂｊｅｃｔｉｖｅの種別をＯ、Ａｓｓｅｓｓｍｅｎｔの種別をＡ、Ｐｌａｎの種別をＰと表記する。なおＳｕｂｊｅｃｔｉｖｅ（Ｓ）は患者から直接得られた情報を示す。Ｏｂｊｅｃｔｉｖｅ（Ｏ）は看護師による身体診察や検査から得られた情報を示す。Ａｓｓｅｓｓｍｅｎｔ（Ａ）はＳｕｂｊｅｃｔｉｖｅやＯｂｊｅｃｔｉｖｅに基づく看護師や医師による評価の情報を示す。Ｐｌａｎ（Ｐ）はＡｓｓｅｓｓｍｅｎｔの結果として実施した計画や治療を示す。医師等のユーザはこれらＳＯＡＰ種別ごとの記録内容を患者のカルテに記録する情報として患者管理システム１００に登録する。なお、本実施形態においては、患者管理装置１に電子カルテ部１２の機能が設けられる態様について説明するが、電子カルテ部１２の機能が患者管理装置１とは異なる、他の電子カルテサーバ等の装置に設けられるようにしてもよい。
【００１７】
レポート管理部１３は、電子カルテ部１２の処理を補完する機能を有する。本実施形態において、レポート管理部１３は、検査管理装置２から患者の検査に関する実施要求の実施結果を取得して、患者番号と実施結果を確認したか否かを示す確認フラグと、実施結果を説明したか否かを示す説明フラグとに紐づけて実施結果を記録する。レポート管理部１３は、患者番号毎の診察スケジュールに基づいて今日の診察スケジュールにおいて診察する患者を特定する。レポート管理部１３は、今日の診察スケジュールにおいて診察する患者のうち、確認フラグが確認したことを示し、かつ説明フラグが説明したことを示す患者以外の患者の患者番号に紐づく実施結果の閲覧要求一覧を第一端末３に送信する。これらのレポート管理部１４の処理の詳細については後述する。このレポート管理部１４の処理によれば、検査の実施結果に基づく病状の患者への説明精度の向上と、検査の実施結果に基づく患者への説明が完了したか否かの状況の管理とを行うことができる。
【００１８】
図４はデータベースの記憶するレポート管理テーブルの例を示す図である。
レポート管理テーブルは、医師ＩＤ、患者番号、検査種別、検査番号、実施フラグ、確認フラグ、説明フラグ、コメント、重要フラグ、詳細情報、などの情報が紐づいて登録される。医師ＩＤはユーザである医師の識別情報である。患者番号は医師ＩＤが示すユーザの医師が診察する患者の識別情報である。検査種別は、患者番号の示す患者について行われた検査の識別情報である。検査番号は検査を特定する番号である。実施フラグは、医師による検査の実施要求に基づいて行われた患者の検査の実施結果を示す情報であり、検査か未実施か実施済みかの何れかの値を示す。確認フラグは、医師が実施結果である評価レポートを確認したか否かの何れかの値を示す。説明フラグは、医師が評価レポートに基づく説明を行ったか否かの何れかの値を示す。コメントは医師等のユーザが入力したコメントである。重要フラグは医師等が付与した重要度合に関する値を示す。詳細情報には、患者氏名、評価レポートの最新版の版数、評価レポートの確認を依頼した医師名、確認依頼の通知先の医師名、検査実施日、評価レポートの作成日時、評価レポートを作成した医師名、当該医師の所属部署、これらレコードの最終更新者、最終更新日時などが含まれる。
【００１９】
患者の検査が実施された場合、その実施結果を検査管理装置２が生成する。実施結果は実施フラグを検査の未実施から検査の実施済みに更新するための更新情報を含む。実施結果には検査装置によって生成された検査の実施結果データを評価した評価レポートをさらに含む。更新情報と、評価レポートとは、検査管理装置２が別々に生成して患者管理装置１へ送信してよい。例えば、検査装置が放射線治療装置である場合、検査管理装置２は放射線治療装置から患者番号、検査番号、検査の実施結果である放射線画像を取得する。読影医は、検査管理装置２に放射線画像を読影した結果の見解文等を記述した評価レポートを生成する。読影医は検査管理装置２に、患者番号、検査番号等に紐づけて評価レポートのデータを登録する。検査管理装置２は評価レポートの登録を検知すると、当該評価レポートの評価対象となる検査に関する患者番号と、検査番号と、評価レポートの登録完了、評価レポートの版数と、を含む情報を患者管理装置１へ送信する。患者管理装置１のレポート管理部１３は、レポート管理テーブル（図５）において、患者番号と検査番号とに基づいて、それら紐づく実施フラグ、確認フラグ、説明フラグ、版数を特定する。レポート管理部１３は、生成された評価レポートが、初版の評価レポートで得ある場合には、特定した実施フラグを実施済みへと更新し、特定した確認フラグを未確認へと更新し、特定した説明フラグを未説明へと変更する。
【００２０】
図５は患者管理装置の処理フローを示す図である。
以下、患者管理装置１、検査管理装置２、第一端末３、第二端末４の各処理について説明する。
まず、患者管理システム１００を利用する医者等のユーザは、第一端末３を操作して患者管理装置１の送信するトップページを表示する。この時、患者管理装置１の電子カルテ部１２はユーザに対応する医師ＩＤやパスワードを第一端末３から受信し、医師ＩＤやパスワードに基づいて記憶する当該ユーザの担当する患者の情報を取得する。電子カルテ部１２はユーザである医師の担当する患者の情報を一覧として表示する電子カルテのトップページを第一端末３へ送信する（ステップＳ１０１）。電子カルテ部１２はトップページの送信後、レポート管理部１３へ医師ＩＤを出力する。
【００２１】
レポート管理部１３は医師ＩＤに基づいて、このユーザである医師が確認するレポート管理ページを生成する。レポート管理ページは、ユーザである医師が、今日の診察スケジュールにおいて診察する患者のうち、検査の実施結果に関する評価レポートの未確認の患者や、当該評価レポートに基づく検査の実施結果に関する説明を実施していない患者の一覧を表示する情報である。
【００２２】
レポート管理部１３は、上述したように生成されたレポート管理テーブル（図４）を用いてレポート管理ページを生成する。具体的には、レポート管理部１３は、第一端末３を操作するユーザの指定操作に基づいて、当該第一端末３から確認フラグの値や、説明フラグの値を取得する。そして、レポート管理部１３は、第一端末３から取得した確認フラグと説明フラグの値に基づいて患者を特定する（ステップＳ１０２）。具体的には、レポート管理部１３は、第一端末３から取得した確認フラグの値が「未確認」を示す場合には、検査の実施結果に関する評価レポートの未確認の患者を特定する。またレポート管理部１３は、第一端末３から取得した確認フラグの値が「確認済み」を示す場合には、検査の実施結果に関する評価レポートの確認済みの患者を特定する。レポート管理部１３は、第一端末３から取得した確認フラグの値が「未確認」または「確認済み」の何れも指定されていない場合には、検査の実施結果に関する評価レポートの未確認の患者と、確認済みの患者の両方の患者を特定する。
【００２３】
また、レポート管理部１３は、第一端末３から取得した説明フラグの値が「未説明」を示す場合には、評価レポートに基づく検査の実施結果に関する説明を実施していない患者を特定する。またレポート管理部１３は、第一端末３から取得した説明フラグの値が「説明済み」を示す場合には、評価レポートに基づく検査の実施結果に関する説明を実施している患者を特定する。レポート管理部１３は、第一端末３から取得した説明フラグの値が「未説明」または「説明済み」の何れも指定されていない場合には、評価レポートに基づく検査の実施結果に関する説明を実施していない患者と、説明を実施している患者の両方の患者を特定する。
【００２４】
また、レポート管理部１３は、第一端末３から取得した確認フラグの値が「未確認」を示し、かつ、第一端末３から取得した説明フラグの値が「説明済み」を示す場合には、検査の実施結果に関する評価レポートが未確認の患者で、かつ、評価レポートに基づく検査の実施結果に関する説明を実施した患者の両方を特定する。
また、レポート管理部１３は、第一端末３から取得した確認フラグの値が「未確認」を示し、かつ、第一端末３から取得した説明フラグの値が「未説明」を示す場合には、検査の実施結果に関する評価レポートが未確認の患者で、かつ、評価レポートに基づく検査の実施結果に関する説明を実施していない患者の両方を特定する。
また、レポート管理部１３は、第一端末３から取得した確認フラグの値が「確認済み」を示し、かつ、第一端末３から取得した説明フラグの値が「説明済み」を示す場合には、検査の実施結果に関する評価レポートが確認済みの患者で、かつ、評価レポートに基づく検査の実施結果に関する説明を実施している患者を特定する。
また、レポート管理部１３は、第一端末３から取得した確認フラグの値が「確認済み」を示し、かつ、第一端末３から取得した説明フラグの値がと「未説明」を示す場合には、検査の実施結果に関する評価レポートが確認済みの患者で、かつ、評価レポートに基づく検査の実施結果に関する説明を実施していない患者を特定する。
【００２５】
またはレポート管理部１３は、今日の診察スケジュールにおいて診察する患者を特定し、当該患者のうち、確認フラグが確認したことを示し、かつ説明フラグが説明したことを示す患者以外の患者の患者番号を特定してもよい。レポート管理部１３は、特定した患者番号に紐づいてレポート管理テーブルに記録されている、検査種別、検査番号、実施フラグ、確認フラグ、説明フラグ、コメント、重要度、患者属性などの一覧を含むレポート管理ページを生成する（ステップＳ１０３）。レポート管理部１３はレポート管理ページを第一端末３へ送信する（ステップＳ１０４）。
【００２６】
第一端末３は電子カルテのトップページと、レポート管理ページとを受信する。第一端末３は電子カルテのトップページと、レポート管理ページとをモニタに表示する。これにより、第一端末３を利用するユーザの医師は、電子カルテのトップページを第一端末３のモニタに表示させる操作を行った際に、当該トップページと共に、さらにレポート管理ページを閲覧することができる。レポート管理ページは、ユーザによって確認フラグや説明フラグの値が指定された結果生成されるページ情報であって、今日の診察スケジュールにおいて診察する患者のうち、検査の実施結果に関する評価レポートの未確認の患者や、当該評価レポートに基づく検査の実施結果に関する説明を実施していない患者の一覧を示す。従って、検査の実施結果である評価レポートを未確認である場合や、評価レポートに基づく説明を実施していない患者の一覧を、電子カルテのトップページを第一端末３のモニタに出力した際に、直ちに確認することができる。
【００２７】
上述の患者管理装置１の処理は、ユーザによって確認フラグや説明フラグの値が指定された結果生成されるページ情報であって、今日の診察スケジュールにおいて診察する患者の前記患者識別情報に紐づく前記実施結果と前記確認フラグと前記説明フラグとの閲覧要求一覧を出力する処理の一態様である。また上述の患者管理装置１の処理は、ユーザの操作開始に基づいて検査の実施結果の閲覧要求一覧を自動的に生成する処理の一態様である。
【００２８】
図６はレポート管理ページの第一の例を示す図である。
レポート管理ページは、図６で示すように、患者番号、患者氏名に紐づけて、確認フラグ、説明フラグ、検査種別、評価レポートの版数、依頼元の医師名、通知先の医師名、検査実施日、評価レポートの作成日時、評価レポートの確認依頼を行った医師名、当該医師の所属部署、これらレコードの最終更新者、最終更新日時、依頼元の医師や、評価レポートを作成した医師によるコメントなどが表示される。図６で示すレポート管理ページでは、ユーザによって確認フラグや説明フラグの値が指定された結果生成されるページ情報であって、今日の診察スケジュールにおいて診察する患者のうち、検査の実施結果に関する評価レポートの未確認の患者や、当該評価レポートに基づく検査の実施結果に関する説明を実施していない患者の一覧を当該ページの上部に表示している。図６で示すように、レポート管理ページでは、ユーザによって確認フラグや説明フラグの値が指定された結果生成されるページ情報であって、今日の診察スケジュールにおいて診察する患者のうち、検査の実施結果に関する評価レポートの確認済みの患者や、当該評価レポートに基づく検査の実施結果に関する説明を実施済みの患者の一覧を当該ページの下部に表示してもよい。
【００２９】
図７はレポート管理ページの第二の例を示す図である。
図７は、ユーザによって確認フラグや説明フラグの値が指定された結果生成されるページ情報であって、今日の診察スケジュールにおいて診察する患者のうち、検査の実施結果に関する評価レポートの未確認の患者や、当該評価レポートに基づく検査の実施結果に関する説明を実施していない患者の一覧を拡大した図である。この図の破線で示すように、重要フラグが付与されている患者である場合、未確認（未読）を示す確認フラグに紐づく患者である場合、未説明を示す説明フラグに紐づく患者である場合に、レポート管理部は、それらの患者の情報を上記に表示するレポート管理ページを生成する。
【００３０】
図８はレポート管理ページの第三の例を示す図である。
図８の破線で示すように、レポート管理ページにおいては、評価レポートの確認依頼を行った医師等により登録された患者に対するコメントが表示されてもよい。
【００３１】
なお上述の処理の説明では、患者管理装置１が電子カルテのトップページを送信した際に、レポート管理ページを同時に送信して、それらの両方のページが平行して第一端末３のモニタに表示される場合の態様について説明した。患者管理装置１は、電子カルテにおいて、ある患者が指定された場合に、その患者カルテページを第一端末３に送信するのと同時に、上記同様にレポート管理ページを生成して第一端末３に送信するようにしてもよい。例えばユーザである医師は、患者の診察の際に電子カルテのトップページにおいて、当該診察対象の患者を選択する。この場合、患者管理装置１のレポート管理部１３は、電子カルテにおいて選択された患者の検査の実施結果に関する評価レポートが未確認である場合、または当該評価レポートについての説明を行っていない場合について、その患者の患者番号、患者氏名に紐づけて、確認フラグ、説明フラグ、検査種別、評価レポートの版数、依頼元の医師名、通知先の医師名、検査実施日、評価レポートの作成日時、評価レポートの確認依頼を行った医師名、当該医師の所属部署、これらレコードの最終更新者、最終更新日時、依頼元の医師や、評価レポートを作成した医師によるコメントなどを示すレポート管理ページを第一端末３に送信する。
【００３２】
ユーザは、第一端末３のモニタにレポート管理ページが表示されると、当該ページの確認フラグをチェックする。ユーザは確認フラグが未確認（未読）を示す場合、その患者の評価レポートを確認する。例えば、ユーザは、評価レポートを送信する検査管理装置２と通信接続された第二端末４に患者番号を入力する。第二端末４は検査管理装置２へ評価レポートの送信要求を送信し、その結果、第二端末４は、検査管理装置２から評価レポートを受信する。第二端末４はモニタに評価レポートを出力する。第二端末４は、検査の実施結果の一態様である放射線画像を検査管理装置２等の第二端末４に出力するようにしてもよい。またユーザは、レポート管理ページの説明フラグをチェックする。ユーザは説明フラグが未説明を示す場合には、そのレコードの患者に対して評価レポート、放射線画像の視認結果や、自身の見解に基づく病状の説明を行い、当該患者の電子カルテに説明フラグを未説明から説明済みに変更する操作を第一端末３に入力する。第一端末３は、説明フラグを未説明から説明済みに更新する更新要求であって、少なくとも医師ＩＤ、患者番号、検査番号含む更新要求を患者管理装置１へ送信する。これにより患者管理装置１の電子カルテ部１２は、更新要求に含まれる医師ＩＤ、患者番号、検査番号の組み合わせに紐づく説明フラグの値を未説明から説明済みに変更する。これにより患者管理装置１において、当該患者に対して検査の実施結果についての説明が行われたことのエビデンスの記録を行うことができる。
【００３３】
図９はレポート管理ページの第四の例を示す図である。
ユーザは評価レポートを確認した場合には、確認フラグを未確認（未読）から確認済み（既読）へ変更することができる。図９では確認フラグを変更する画面例を示している。なお未実施は、検査自体が実施されていないことを示し、実施済みは検査が終了した状態を示す。同様にユーザは、患者に対して評価レポート、放射線画像の視認結果や、自身の見解に基づく病状の説明を行い、当該患者の電子カルテに説明フラグを未説明から説明済みに変更する操作を第一端末３で行うことができる。
【００３４】
図１０はレポート管理ページの第五の例を示す図である。
図１１はレポート管理ページの第六の例を示す図である。
図１２はレポート管理ページの第七の例を示す図である。
図１３はレポート管理ページの第八の例を示す図である。
図１０〜図１３を用いて、レポート管理ページを用いたユーザの操作をさらに詳細に説明する。
検査が実施されて放射線画像が生成され、その放射線画像を読影医が確認していない状態においては、第一端末３は実施フラグが実施済み、確認フラグが未設定、説明フラグが未説明となる情報を含むレポート管理ページを患者管理装置１から受信する。この場合、第一端末３は、確認フラグが実施済みと設定され、説明フラグが未説明と設定されるレポート管理ページをモニタに表示する（図１０）。ユーザは、レポート管理ページにおいて、確認フラグが実施済みと設定され、説明フラグが未説明と設定されるため、検査の実施は完了し、読影医による放射線画像の確認と評価レポートの作成が未完了であることを認識することができる。
【００３５】
その後、読影医が放射線画像を確認し評価レポートを作成する。読影医は評価レポートの登録と、当該評価レポートの作成完了を検査管理装置２に登録する。この時、読影医は検査管理装置２のインタフェースにおいて検査番号や患者番号などを指定する。検査管理装置２は検査番号、患者番号、評価レポートの登録完了などの情報を含む評価レポートの作成完了情報を患者管理装置１へ送信する。なお読影医は評価レポートの作成時に気になった点をコメントとして登録することができる。この場合、読影医はコメントを検査管理装置２に登録する。この場合、作成完了情報にはコメントの文章情報が含まれる。
【００３６】
患者管理装置１のレポート管理部１３は、検査番号や患者番号によってレポート管理テーブル内のレコードを特定し、実施フラグを未実施から実施済みへと変更する。またレポート管理部１３は作成完了情報にコメントの文章情報が含まれる場合には、特定した当該レコードにおけるコメントのフィールドに文章情報を書き込む。そして患者管理装置１のレポート管理部１３は、この状態でレポート管理ページの送信処理を検知した場合には、実施フラグが実施済み、確認フラグが未確認、説明フラグが未説明となる情報を含み、またコメントの文章情報を含むレポート管理ページを第一端末３へ送信する。
【００３７】
確認フラグが未設定から未確認に変更されたため、第一端末３は、確認フラグを未確認（未読）に更新したレポート管理ページをモニタに表示する（図１１）。また第一端末３はコメントの文章情報を所定のコメント欄に記述したレポート管理ページをモニタに表示する（図１２）。ユーザは、レポート管理ページにおいて、確認フラグが未確認（未読）と設定され、説明フラグが未説明と設定されるため、検査の実施と、読影医による放射線画像の確認および評価レポートの作成が完了済みであることを認識する。またユーザは、自身が評価レポートを確認して患者に説明することが必要なタイミングであることを認識する。またユーザは、コメントを確認して読影医からのコメントに基づく対応を行う。
【００３８】
なお読影医などの評価レポートの作成者が、「レポートあり」などの評価レポートが作成されたことを通知する情報を設定できる機能を有していてもよい（図１３）。この場合、例えば読影医が患者管理装置１に通信接続する端末等を用いて、患者番号や検査番号を入力し、レポート管理ページを当該端末に表示させる。読影は、レポート管理ページの確認フラグの値の変更機能を用いて、当該確認フラグを「レポートあり」に変更するようにしてもよい。当該端末は、患者番号、検査番号、確認フラグ「レポートあり」の情報を含むレコード更新要求を患者管理装置１へ送信する。患者管理装置１のレポート管理部１３は患者番号、検査番号に紐づいてレポート管理テーブルに記録される確認フラグを「レポート」ありに更新する。これにより第一端末３でレポート管理ページを表示した際に、当該患者の検査についての確認フラグが「レポートあり」と設定されて表示される。
【００３９】
図１４は検査要求登録ページの例を示す図である。
図１５はレポート管理ページの第九の例を示す図である。
ユーザである医師は、電子カルテのページにおいて、検査要求の登録を行うことができる。一例としては所定の患者専用のカルテページ等において、検査要求登録ボタンを押下する。すると電子カルテ部１２はそのボタンの押下を検出し、検査要求登録ページ（図１４）を第一端末３へ送信する。検査要求登録ページにおいてユーザは、検査日時、検査項目名、検査種別、などを登録することができる。ユーザは検査要求登録ページにおいて確定ボタンを押下する。すると第一端末３は、検査要求登録ページにおいて選択または入力された各種情報を含む検査要求を患者管理装置１へ送信する。患者管理装置１は検査要求に含まれる各種情報をデータベース１０４の検査要求テーブルに記録する。検査装置や検査管理装置２はこの検査要求テーブルに記録されている情報を取得して、検査を行う。電子カルテ部１２は、検査要求に基づいて、レポート管理テーブルへのレコード追加指示をレポート管理部１３へ出力する。レコード追加指示には、検査要求を行った、ユーザを示す医師ＩＤ、患者番号、患者氏名、検査種別、検査番号、などの情報が含まれる。レポート管理部１３は、図１５で示すように、これらの情報を紐づけた一つのレコードをレポート管理ページに追加する。
【００４０】
これ以降は、検査技師による検査や、読影医による検査の実施結果である評価レポートの作成が上記と同様に行われる。なお、読影医は、一つの検査の実施結果の他の態様である放射線画像について、評価レポートを更新することができる。この場合、評価レポートは１版、２版、３版・・とバージョン（版数）管理が行われる。
【００４１】
図１６はレポート管理ページの第十の例を示す図である。
読影医が既に評価レポートの１版が作成された検査について、新たに評価レポートの２版を作成して検査管理装置２へ登録したとする。２版は１版の評価レポートと比較して、内容の修正、追加が行われた最新の評価レポートである。この時、読影医は検査管理装置２のインタフェースにおいて検査番号や患者番号などを指定する。検査管理装置２は、検査番号、患者番号、評価レポートの登録完了などの情報を含む作成完了情報を患者管理装置１へ送信する。患者管理装置１のレポート管理部１３は、検査番号、患者番号に基づいて、レポート管理テーブルのレコードを特定する。レポート管理部１３は、レコードに評価レポートの版数が登録されている場合には、その版数に１を加えた版数を当該レコードに書き込む。またレポート管理部１３はレポート管理テーブルのレコード内の確認フラグが既読と設定されている場合には、未読に更新する。またレポート管理部１３は、レポート作成日時等を２版の作成日時に更新する。
【００４２】
図１６を用いて説明した処理は、患者管理装置１が、評価レポートの更新版の情報を取得後に、更新前の評価レポートに紐づいて記録される確認フラグが確認したことを示す場合、評価レポートを確認していないことを示す値に当該確認フラグを更新する処理の一態様である。
【００４３】
所定の検査の実施結果である評価レポートや放射線画像の閲覧要求は、一人または複数人の医師宛てに送信することができる。例えば検査管理装置２は、閲覧要求の宛先の登録を受け付ける。宛先の医師は、少なくとも検査要求を依頼した医師を含むが、検査管理装置２は、病棟の主治医担当医など任意の属性の医師の宛先の登録を受け付けることもできる。そして検査管理装置２は、検査番号、患者番号、評価レポートの登録完了、宛先医師などの情報を含む作成完了情報を患者管理装置１へ送信する。患者管理装置１のレポート管理部１３は、検査番号、患者番号に基づいて、レポート管理テーブルのレコードを特定する。レポート管理部１３は、レコード内の宛先の医師の情報として、作成完了情報に含まれる宛先の医師の情報を登録する。これにより、レポート管理部１３は、複数の医師が電子カルテを操作した際などに、当該宛先の医師に対してレポート管理ページを送信する。
【００４４】
ユーザは、評価レポートの確認や、その評価レポートに基づく説明を患者にした後に、患者に対する記録を登録することができる。当該記録事は、例えば上述したようなＳＯＡＰ種別のそれぞれに応じた記録内容を含む。第一端末３は、患者番号、検査番号、記録内容、などを含む登録要求を、患者管理装置１へ送信する。レポート管理部１３は、登録要求に含まれる記録内容を、患者番号と検査番号とを含むレコードの所定のフィールドに登録する。
【００４５】
なお、ユーザは、レポート管理テーブルに記録されるレコードの情報をＣＳＶ（Comma-Separated Values）形式のテキスト情報に変換して第一端末３にダウンロードできる。例えばユーザは、レポート管理ページの検索欄において患者番号、医師ＩＤなどの出力パラメータにより、レポート管理ページに表示される情報を表示する。このページにおいてユーザはＣＳＶ出力ボタンを押下する。すると第一端末３はＣＳＶ出力要求を患者管理装置１へ送信する。患者管理装置１のレポート管理部１３は、当該ＣＳＶ出力要求に基づいて、ユーザが指定した出力パラメータに基づいて、レポート管理テーブルに記録される情報を抽出して、ＣＳＶ形式のテキスト情報に変換する。レポート管理部１３はこの情報を第一端末３に送信する。
【００４６】
なお、患者管理装置１のレポート管理部１３は、レポート管理ページにおいて、ユーザの本日診察するユーザの一覧を表示するような機能を有していてもよい。
【００４７】
図１７は患者管理装置の最小構成を示す図である。
図１７で示すように患者管理装置１は少なくともレポート管理部１３の機能を備える。レポート管理部１３は、患者の検査に関する実施要求の実施結果を取得して、患者番号と実施結果を確認したか否かを示す確認フラグと、実施結果を説明したか否かを示す説明フラグとに紐づけて実施結果を記録する。レポート管理部１３は、患者番号の診察スケジュールに基づいて今日の診察スケジュールにおいて診察する患者を特定する。レポート管理部１３は、今日の診察スケジュールにおいて診察する患者の前記患者識別情報に紐づく前記実施結果と前記確認フラグと前記説明フラグとの閲覧要求一覧を出力する。
【００４８】
状術の患者管理装置のレポート管理部１３の処理によれば、電子カルテのトップページや、電子カルテの所定の患者のカルテページが表示された際に、今日の診察スケジュールにおいて診察する患者のうち、確認フラグが確認したことを示し、かつ説明フラグが説明したことを示す患者以外の患者の患者番号に紐づく実施結果の閲覧要求の一覧を示す患者管理ページをユーザの端末に送信する。これにより医師であるユーザは、検査の実施結果の一態様である評価レポートや放射線画像の見落としの確率を減じ、それら実施の結果に基づく病状の患者への説明精度を向上させることができる。
【００４９】
上述の各装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５１】
１・・・患者管理装置
２・・・検査管理装置
３・・・第一端末
４・・・第二端末
１１・・・制御部
１２・・・電子カルテ部
１３・・・レポート管理部
【図１】
2020123147.tif 000003
【図２】
2020123147.tif 000004
【図３】
2020123147.tif 000005
【図４】
2020123147.tif 000006
【図５】
2020123147.tif 000007
【図６】
2020123147.tif 000008
【図７】
2020123147.tif 000009
【図８】
2020123147.tif 000010
【図９】
2020123147.tif 000011
【図１０】
2020123147.tif 000012
【図１１】
2020123147.tif 000013
【図１２】
2020123147.tif 000014
【図１３】
2020123147.tif 000015
【図１４】
2020123147.tif 000016
【図１５】
2020123147.tif 000017
【図１６】
2020123147.tif 000018
【図１７】
2020123147.tif 000019